(57)【要約】【課題】釣り竿に対する装着形態を変更することによって、組み付け工程等を簡易にしながら、仕掛けの係止操作を容易に行える釣り竿用の仕掛け係止具を提供する。【解決手段】仕掛け係止具６を、リールシート２の竿先側に配置され、元竿１に外嵌される嵌合孔６ａを介して装着される基端部６Ａと仕掛けを係止する係止孔６ｂを形成した先端部６Ｂとを備えて、構成してある。【選択図】図３
2009284781.tif 000002
【特許請求の範囲】
【請求項１】
リールシートの竿先側に配置され、竿体に外嵌装着される基端部と仕掛けを係止する仕掛け係止部を形成した先端部とを備えている釣り竿用の仕掛け係止具。
【請求項２】
前記基端部にその基端部を前記竿体に外嵌装着するための嵌合孔が形成され、前記先端部に仕掛けを係止する係止孔を形成してある請求項１記載の釣り竿用の仕掛け係止具。
【請求項３】
請求項１又は２記載の釣り竿用の仕掛け係止具を備えた釣り竿。
【発明の詳細な説明】
【技術分野】
【０００１】
本発明は、釣り針や釣り糸を係止する釣り竿用の仕掛け係止具に関する。
【背景技術】
【０００２】
釣り竿において、専用の釣り竿用の仕掛け係止具を設けたものはなかった（特許文献１）。
そこで、本出願人らにおいては、図８に示すように、仕掛け係止具６としての係止フックをフロントグリップ３の竿先側に配置し、その係止フック６の脚部を組み付け糸ｄで取付け、その組み付け糸の部分を樹脂で固めて固定していた。
【特許文献１】特開２００６−３４５７９０号公報
【発明の開示】
【発明が解決しようとする課題】
【０００３】
図８に示されている構造では、フック位置がフロントグリップ等に近接しているので、釣り針等を係止するのに操作し辛い面があるとともに、フックの脚部を組み付け糸で釣り竿に取付る工程が必要であり、製作工程の単純さに欠ける面があった。
【０００４】
本発明の目的は、釣り竿に対する装着形態を変更することによって、組み付け工程等を簡易にしながら、仕掛けの係止操作を容易に行える釣り竿用の仕掛け係止具を提供する点にある。
【課題を解決するための手段】
【０００５】
〔構成〕
請求項１に係る発明の特徴構成は、リールシートの竿先側に配置され、竿体に外嵌装着される基端部と仕掛けを係止する仕掛け係止部を形成した先端部とを備えている点にあり、その作用効果は次の通りである。
【０００６】
〔作用効果〕
つまり、竿体に外嵌装着される基端部を形成することによって、従来のように、組み付け糸を使用して釣り竿に取り付ける操作を必要としない。組み付ける前に予め竿体に外嵌装着される部位を形成できるので、製作工程の簡素化を図れるとともに、取り付けた状態でシンプルな印象を与える。
しかも、基端部を竿体に取り付けた状態で先端部を竿体から離れた状態に延出して、その先端部に仕掛け係止部を形成しているので、仕掛けの係止操作が容易に行える。
【０００７】
〔構成〕
請求項２に係る発明の特徴構成は、請求項１に係る発明において、前記基端部にその基端部を前記竿体に外嵌装着するための嵌合孔が形成され、前記先端部に仕掛けを係止する係止孔を形成してある点にあり、その作用効果は次の通りである。
【０００８】
〔作用効果〕
基端部を竿体に外嵌装着するに単に竿体に外嵌される嵌合孔と、先端部に仕掛けを係止するための係止孔を形成するだけでよいので、プレス等の簡易な製作方法を使用して簡単に仕掛け係止具を形成できる。
【０００９】
〔構成〕
請求項３に係る発明の特徴構成は、請求項１又は２記載の釣り竿の仕掛け係止具を備えた釣り竿を構成する点にあり、その作用効果は次の通りである。
【００１０】
〔作用効果〕
仕掛けの係止操作が容易で製造工程を簡素化できる釣り竿を提供できるに至った。
【発明を実施するための最良の形態】
【００１１】
ルアーを使用して釣りを行う釣り竿Ａについて説明する。釣り竿Ａは、ツーピースタイプの釣り竿であり、図１に示すように、元竿１の竿元部分にリールシート２を装着し、リールシート２の竿先側にフロントグリップ３、リールシート２の竿元側にリアグリップ４、リアグリップ４の更に手元側に手元側リアグリップ５を配して、構成してある。
【００１２】
リールシート２は、竿先側に可動フード２Ａ、竿元側に固定フード２Ｂを配置して構成してあり、可動フード２Ａとフロントグリップ３を一体でネジ部（図示せず）回りに回転させることによって、可動フード２Ａを固定フード２Ｂに対して遠近方向に移動調節可能である。
【００１３】
元竿１、及び、穂先竿（図示せず）には釣り糸ガイド（図示せず）を設けてあり、リールＢから繰出された釣り糸ａをトップガイド（図示せず）から竿元側に反転させて、フロントグリップ３の手前側で釣り糸ａ等の仕掛けを係止する仕掛け係止具６を設ける。
【００１４】
図２に示すように、仕掛け係止具６は、板状部材を略卵型に加工したものであり、大径の基端部６Ａに嵌合孔６ａを形成するとともに、先端部６Ｂに小径の釣り針等を係止する係止部としての係止孔６ｂを形成してある。嵌合孔６ａを元竿１に外嵌して仕掛け係止具６をフロントグリップ３の竿先端に密着する状態で装着し、抜止リング７を仕掛け係止具６の竿先側から装着して、仕掛け係止具６を抜止固定してある。
フロントグリップ３を構成するコルクや発泡樹脂の端部を処理する抜止リング７を利用して仕掛け係止具６を元竿１に取り付けることができるので、取付状態がシンプルなものとなる。
仕掛け係止具６としては、ステンレスやチタン等の金属材料をプレス加工して製造するか、エンジニアリング樹脂を使用して型成形で製造することができる。
【００１５】
このように、元竿１に仕掛け係止具６を装着することによって、竿元側に反転させてきた仕掛けの釣り針ｂを係止孔６ｂに係止することができる。これによって、釣り場を移動する際に、釣り針等の仕舞い処理を容易に行える。
【００１６】
次に、仕掛け係止具６の異なる形態について説明する。
（１）  第１の異なる形態は次のようなものである。図３に示すように、仕掛け係止具６に嵌合孔６ａと係止孔６ｂを形成し、外径形状も同一であるが、先端部６Ｂと基端部６Ａとの中間位置を境に屈曲形成してある。これによって、仕掛け係止具６が加工効果による曲げ強度等が向上するものであるとともに、先端部６Ｂが傾斜する状態となるので、釣り針ｂを係止する操作が図１に示す如く垂直状態にある場合より容易である。
【００１７】
（２）  第２の異なる形態は次のようなものである。図３に示す仕掛け係止具６と同様に嵌合孔６ａと係止孔６ｂを形成し、外径形状も同一で、かつ、折り曲げ形成してある。図４に示すように、係止孔６ｂの一端に切り欠き部６ｃが形成されている。これによって、外部空間と係止孔６ｂとが連通状態にあり、釣り針ｂだけではなく、釣り糸ａを輪にした状態で引っ掛け係止できる。
このように、釣り糸ａを係止するのに、切り欠き部６ｃの部分を有効に活用して引っ掛け操作を行うことができるので、その操作を容易に行うことができる。
【００１８】
（３）  第３の異なる形態は次のようなものである。図３に示す仕掛け係止具６と同様に嵌合孔６ａと係止孔６ｂを形成し、外径形状も同一で、かつ、折り曲げ形成してある。図５に示すように、このような仕掛け係止具６に係止孔６ｂを塞ぐ栓部材８を装備してある。図５（ｂ）に示すように、栓部材８は、柔軟な材料で形成したものでゴム等が使用され、係止孔６ｂに嵌合自在な小径部８Ａと係止孔６ｂより大径の大径摘み部８Ｂとからなっている。図５（ｂ）に示すように、栓部材８の小径部８Ａを係止孔６ｂから離間させ、小径部８Ａに釣り針ｂや釣り糸ａを巻回した状態で、その小径部８Ａを押し込むことによって、図５（ａ）（ｃ）に示すように、その大径摘み部８Ｂと仕掛け係止具６との間に釣り針ｂや釣り糸ａを挟み込んで、固定する。
【００１９】
（４）  第４の異なる形態は次のようなものである。図６（ｂ）に示すように、仕掛け係止具６は、板状部材の先端部６Ｂに係止孔６ｂを形成したものであり、この先端部６Ｂの形状等に変更はないが、基端部６Ａが異なっている。
つまり、基端部６Ａは、筒状体で形成されており、筒状の基端部６Ａの一端に板状の先端部６Ｂを一体的に形成し、他端に嵌合用の筒状部と嵌合孔６ａを形成してある。このような構成になる筒状部を、図６（ａ）に示すように、フロントグリップ３内の元竿１に取り付けたボス部等に嵌着することによって、取付固定する構成を採っている。基端部６Ａの外周面は、フロントグリップ３の外周面に連続する状態に形成してあり、表面に金属塗装等を施せば、装飾的効果も付与できる。
【００２０】
（５）  第５の異なる形態は次のようなものである。図３に示す仕掛け係止具６と同様に係止孔６ｂを形成し、外径形状も同一で、かつ、折り曲げ形成してある。異なる点は、図７に示すように、先端部６Ｂにおいてさらに直交する姿勢のブラケット６Ｃを設け、そのブラケット６Ｃに係止孔６ｂを形成する。ブラケット６Ｃを設けることによって、仕掛けを元竿１に十分近接した状態で配置構成することができる。
【００２１】
〔別実施形態〕
（１）  釣り針ｂ等を係止する係止部としては、板状の先端部に係止ピンを立設し、その係止ピンに釣り針ｂを引っ掛ける構成でもよい。
（２）  仕掛け係止具６を元竿１に外嵌させた状態で抜止リング７等を利用して行っているが、樹脂で固めてもよい。
（３）  上記釣り竿Ａとしては、ルアー竿以外に船竿等に使用してもよい。
【図面の簡単な説明】
【００２２】
【図１】釣り竿のリールシート部分を示す側面図
【図２】仕掛け係止具を示す斜視図
【図３】（ａ）仕掛け係止具を元竿に取り付けた状態を示す側面図、（ｂ）第１別実施形態の仕掛け係止具を示す斜視図
【図４】（ａ）仕掛け係止具を元竿に取り付けた状態を示す側面図、（ｂ）第２別実施形態の仕掛け係止具を示す斜視図
【図５】（ａ）仕掛け係止具を元竿に取り付けた状態を示す側面図、（ｂ）栓部材を装着する前の状態を示す斜視図、（ｃ）第３別実施形態の仕掛け係止具を示す斜視図
【図６】（ａ）仕掛け係止具を元竿に取り付けた状態を示す側面図、（ｂ）第４別実施形態の仕掛け係止具を示す斜視図
【図７】（ａ）仕掛け係止具を元竿に取り付けた状態を示す側面図、（ｂ）第５別実施形態の仕掛け係止具を示す斜視図
【図８】従来の仕掛け係止具を元竿に取り付けた状態を示す側面図
【符号の説明】
【００２３】
１      元竿（竿体）
２      リールシート
６      仕掛け係止具
６Ａ    基端部
６Ｂ    先端部
６ａ    嵌合孔
６ｂ    係止孔（係止部）
ａ      釣り糸（仕掛け）
ｂ      釣り針（仕掛け）
【図１】
2009284781.tif 000003
【図２】
2009284781.tif 000004
【図３】
2009284781.tif 000005
【図４】
2009284781.tif 000006
【図５】
2009284781.tif 000007
【図６】
2009284781.tif 000008
【図７】
2009284781.tif 000009
【図８】
2009284781.tif 000010